(57)【要約】【課題】吸い込み側風路の回転軸を中心とした周方向位置に因る不均一性がある場合にも、流入する気流そのものの乱れを低減して、低騒音の送風機を得ること。【解決手段】プロペラファン駆動装置であるモータ６によって回転駆動されるプロペラファン３の後縁側外周縁をベルマウス４で覆い、プロペラファンの径方向外側に吸込み側の風路を構成する複数の板である上板８、下板９、横板１０及び機械室板１１を有し、プロペラファンと径方向外側の風路を構成する板との距離が相対的に狭い板の位置でプロペラファンの翼が最も近づく前後の位置のベルマウス断面が、プロペラファンと板との距離が相対的に広い位置の断面に対して、ベルマウス吸込み側の拡大角度θ１を小さく、プロペラファンとベルマウスとの重なり高さＨｂを大きくし、両者の間のベルマウス断面形状をなだらかに変化させるようにしたものである。【選択図】図５
2010112204.tif 000002
【特許請求の範囲】
【請求項１】
プロペラファンと、
該プロペラファンを回転駆動するプロペラファン駆動装置と、
前記プロペラファンの後縁側外周縁を覆うベルマウスと、
前記プロペラファンの径方向外側の少なくとも１面に吸込み側から吹き出し側に至る風路を構成する板を有し、前記プロペラファンと径方向外側の風路を構成する板との距離が相対的に狭い板の位置で前記プロペラファンの翼が最も近づく前後の位置のベルマウス断面が、前記プロペラファンと板との距離が相対的に広い位置の断面に対して、ベルマウス吸込み側の拡大角度を小さく、プロペラファンとベルマウスとの重なり高さを大きくし、両者の間のベルマウス断面形状をなだらかに変化させたことを特徴とする送風機。
【請求項２】
前記プロペラファンとベルマウスとの重なり高さを大きくした部分のプロペラファンとベルマウスとの重なり高さが、前記プロペラファン外周高さの半分以上であることを特徴とする請求項１記載の送風機。
【請求項３】
前記ベルマウス内径最小部から続く直ぐの上流側の拡大部の曲率半径を全周同じとしたことを特徴とする請求項１又は２記載の送風機。
【請求項４】
前記ベルマウス内径最小部から続く直ぐの上流側の拡大部の曲率半径に対して更に上流側に続く拡大部の曲率半径を大きくしたことを特徴とする請求項１〜３のいずれかに記載の送風機。
【請求項５】
前記プロペラファン翼形状が前進翼であり、弦長がボス側よりも外周側が長いことを特徴とする請求項１〜４のいずれかに記載の送風機。
【請求項６】
前記プロペラファンの翼形状が回転軸を中心とした円筒断面において、負圧面が回転方向の反対側に凸となることを特徴とする請求項１〜５のいずれかに記載の送風機。
【請求項７】
請求項１〜６に記載の送風機は、前記プロペラファンの径方向外側に吸込み側から吹き出し側に至る風路を複数の板を有して構成され、前記風路の吸込み側に熱交換器を備えたことを特徴とするヒートポンプ装置。
【請求項８】
前記風路を構成する少なくとも１つの板が熱交換器であることを特徴とする請求項７記載のヒートポンプ装置。
【発明の詳細な説明】
【技術分野】
【０００１】
本発明は、ベルマウスと羽根車を備える送風機及びこの送風機を用いたヒートポンプ装置に関するものである。
【背景技術】
【０００２】
プロペラファン形式の送風機や、空気調和機の室外機（以下、空調室外機）等の送風機を備える装置では、空力騒音低減を実現するためには送風機に流入する気流の乱れ、変動を極力小さくすることが不可欠である。
また、空力騒音低減を実現するために、羽根車の径を大きくして翼と気体の相対速度を低減したり、気体の通過断面積を確保して気体の絶対速度を低減すること等も有効である。
送風機に流入する気流の乱れ、変動を小さくするには、回転軸を中心として周方向に均一な十分に広い空間から気体を吸込むことが理想であるが、プロペラファン形式の送風機を搭載した空調室外機を例にとっても、羽根車の径方向外側の吸込み空間は複数の側面で、ファン回転軸に垂直な断面が概ね四角形であることが一般的であり、空間の広さもベルマウスを十分な大きさの全周同じ断面形状とできない場合が多い。
ベルマウス面上の流れのベクトルが異なることへの従来の送風機の工夫として、ベルマウスの吸込み側先端部の曲率半径を場所により変えて、ベルマウス付近での気流の剥離を抑えて乱流音増加の抑制を図っているものがある（例えば、特許文献１参照。）。
【０００３】
【特許文献１】特許第２７６９２１１号公報[特公平７−１１７０７７号公報]（第２頁、第２−３図）
【発明の開示】
【発明が解決しようとする課題】
【０００４】
上述した従来の送風機は、吸い込み側風路の周方向位置に因る不均一性に対応させてベルマウスの曲率の大きさを変えているが、ベルマウス上に沿って流れている気流の剥離などを低減する効果に留まり、流入する気流そのものの乱れを低減する効果はなく、騒音低減を実現することができないという問題があった。
本発明はかかる問題を解決するためになされたもので、吸い込み側風路の回転軸を中心とした周方向位置に因る不均一性がある場合にも、流入する気流そのものの乱れを低減して、低騒音を図った送風機を得ることにある。
【課題を解決するための手段】
【０００５】
本発明に係る送風機は、プロペラファンと、該プロペラファンを回転駆動するプロペラファン駆動装置と、前記プロペラファンの後縁側外周縁を覆うベルマウスと、前記プロペラファンの径方向外側の少なくとも１面に吸込み側から吹き出し側に至る風路を構成する板を有し、前記プロペラファンと径方向外側の風路を構成する板との距離が相対的に狭い板の位置で前記プロペラファンの翼が最も近づく前後の位置のベルマウス断面が、前記プロペラファンと板との距離が相対的に広い位置の断面に対して、ベルマウス吸込み側の拡大角度を小さく、プロペラファンとベルマウスとの重なり高さを大きくし、両者の間のベルマウス断面形状をなだらかに変化させたものである。
【発明の効果】
【０００６】
本発明の送風機においては、プロペラファン駆動装置によって回転駆動されるプロペラファンの後縁側外周縁をベルマウスで覆い、前記プロペラファンの径方向外側の少なくとも１面に吸込み側から吹き出し側に至る風路を構成する板を有し、前記プロペラファンと径方向外側の風路を構成する板との距離が相対的に狭い板の位置で前記プロペラファンの翼が最も近づく前後の位置のベルマウス断面が、前記プロペラファンと板との距離が相対的に広い位置の断面に対して、ベルマウス吸込み側の拡大角度を小さく、プロペラファンとベルマウスとの重なり高さを大きくし、両者の間のベルマウス断面形状をなだらかに変化させるようにしたので、風路室空間が急激に変化することに起因するプロペラファンを流れる気流の変動が、急激に変化する風路室空間にベルマウス吸込み側の拡大角度が小さいベルマウスが存在することによって風路室空間の急激な変化が少なくなり、気流の変動が抑えられ、空力騒音を低くできるという効果がある。
【発明を実施するための最良の形態】
【０００７】
実施の形態１．
図１は本発明の実施の形態１の空気調和機の室外機を示す水平断面図、図２は同空気調和機の室外機を示す正面図、図３は同空気調和機の室外機に搭載するプロペラファンの正面図、図４は同空気調和機の室外機に搭載するプロペラファンの円筒断面展開図、図５は図２のＡ部におけるベルマウスの形状を示す断面図、図６は図２のＢ部におけるベルマウスの形状を示す断面図、図７は同空気調和機の室外機を示すもう１つの正面図、図８は同空気調和機の室外機のベルマウスの特徴を説明する補足断面図、図９は同空気調和機の室外機のベルマウスの別の特徴を説明する補足断面図である。
図１〜図２において、ヒートポンプ装置であるセパレート型空気調和機の室外機１のプロペラファン形式の送風機２は、プロペラファン３と、プロペラファン３の翼の後縁３ｃ側の外周縁３ｂを覆うベルマウス４と、ベルマウス４と連続する吹出し板５と、プロペラファン３を回転駆動するモータ６とからなる。ここで、回転軸方向とはプロペラファン３、モータ６の回転方向と垂直な方向を意味する。
【０００８】
プロペラファン３の翼形状は、吹出し側から見た平面図である図３に示すように外周縁３ｂの中点Ｐ１がボス側の中点Ｐ２よりも回転方向の先になる前進翼形状である。
図４はプロペラファン３の外周縁３ｂ側を図３のＡ−Ａ線の円筒断面で切断し、それを平面に展開した平面展開図で、その平面展開図に示すプロペラファン３の平面に展開した外周縁３ｂの弦長Ｌは、ボス側よりも外周縁側３ｂの方が長い。
そして、図４の平面展開図で示すプロペラファン３の平面に展開した外周縁３ｂの断面形状の負圧面は回転方向の反対側に凸となる反り形状を持つ。
【０００９】
プロペラファン３がある風路室７は、プロペラファン３の径方向外側四方を上板８、下板９、横板１０、機械室板１１で囲まれ、吹出し板５と対抗する面は熱交換器１２に覆われている。その風路室７における回転軸方向に垂直な風路室断面は、横板１０及び機械室板１１の長さが上板８及び下板９の長さより長い正面から見て縦長となっている。
機械室板１１により風路室７から隔てられた機械室１３には、圧縮機１４の他に、熱交換器１２と繋がる冷媒回路構成要素やヒートポンプ装置を制御する電気回路が格納されている。
熱交換器１２は、内部を冷媒が循環するパイプの外表面に伝熱用の多層形状のフィンを設けたものである。また、ベルマウス４の開口部は保護グリル１５に覆われている。
【００１０】
図２のＡ部は、図５の断面図で示すように、回転するプロペラファン３側から見た場合に、プロペラファン３の径方向外側の風路室空間が急に広がる部分を示している。即ち、図２のＡ部は、室外機１の正面から見て、横板１０とプロペラファン３の翼とが最も接近するところからファン回転方向に進み、横板１０と翼との距離が広がる位置である。
図２のＢ部は、図６の断面図で示すように、回転するプロペラファン３側から見た場合に、プロペラファン３の径方向外側の風路室空間が広い部分であることを示している。
図２のＡ部、Ｂ部はともに、図５及び図６で示すように、ベルマウス４の内径最小部から直ぐの吸込み側の曲率半径Ｒ１からさらに吸込み側へはＲ１よりも大きな曲率半径Ｒ２で繋がるように形成されている。図５及び図６に示す如く、曲率半径Ｒ２が極めて大きく断面は直線に近く、曲率半径Ｒ１は全周に渡りほぼ同じ大きさである。
ベルマウス４の吸込み側の回転軸からの拡がり角度θ１は、ベルマウス４の径方向外側の風路室空間が広いＢ部よりも空間が急激に変化するＡ部を小さくしている。図２におけるＡ部からＢ部の間では徐々に変化している。ベルマウス４とプロペラファン３の回転軸方向の重なり高さＨｂはＡ部の方がＢ部よりも高い。
【００１１】
図１のＣ部は、室外機１を正面から見て上板８と機械室板１１との交点方向よりもファン回転方向側に位置する。プロペラファン３側から見た場合に、プロペラファン３の径方向外側の風路室空間が狭くなる部分である。この部分のベルマウス４の断面形状は、Ａ部と同様にベルマウス４の内径最小部から直ぐの吸込み側の曲率半径からさらに吸込み側へはより大きな曲率半径で繋がり、ベルマウス４とプロペラファン３の回転軸方向の重なり高さはＢ部よりも高い。
なお、室外機１の正面から見て、横板１０とプロペラファン３の翼とが最も接近する真横の位置は室外機１としての寸法上の制約があってベルマウス４の形状を考えて騒音を低減することは困難であり、本発明ではあまり寸法上の制約がない図２のＡ、Ｂについて騒音を低減するためにベルマウス４の形状を以上のように考慮したものである。
【００１２】
次に、本発明の実施形態１の空気調和機の室外機の動作について説明する。
モータ６の駆動力によりプロペラファン３が回転すると、プロペラファン３の昇圧作用により、風路室７の気体がベルマウス４の開口から保護グリル１５を通過して機外へ吹出す。それと共に、機外気体が熱交換器１２のフィン間を介して風路室７に流入する。
熱交換器１２のパイプ内部には機外の気体の温度よりも高温または低温の冷媒が循環し、機外の気体が熱交換器１２を通過する際に熱交換を行う。
風路室７に流入する際に熱交換器１２と熱交換を行い温度が上昇または低下した気体は、先に述べたようにプロペラファン３の回転により機外に吹き出される。この風量が多いほど熱交換量を多くすることができる。
【００１３】
プロペラファン３の周りの気流について更に詳しく述べる。
プロペラファン３が回転すると、プロペラファン３が回転する領域内の気体が吹出し側空間に押し出され、プロペラファン３の回転領域が負圧になるため、風路室７の気体がプロペラファン３の回転する領域に流入する。
風路室７の気体はプロペラファン３の翼前縁３ａの回転軌跡からなる面や、翼外周縁３ｂの回転軌跡からなる面からプロペラファン３へ流入する。
プロペラファン３へ流入した気体の一部は外周縁３ｂの外側を介してプロペラファン３の回転方向に向いた圧力面から圧力面と反対の負圧面への漏れ流れとなる。
また、外周縁３ｂの前縁３ａ付近で生じた漏れ流れを基にして負圧面の外周縁３ｂに沿う位置に翼端渦と呼ぶ渦構造を持つ流れが生じる。
翼端渦は前縁側から後縁側へと移行するに伴い成長し、流れの転向が大きくなる翼外周の半分位置付近において外周縁から離脱する。
外周縁３ｂから離脱した翼端渦は渦としての構造を弱めながら、全体的な流れに押されながら徐々に機外へ放出される。
【００１４】
外周縁３ｂ付近では、ファン回転領域へ入る流れが主となるが、先に述べたように一部回転領域から出る流れもある。更には翼端渦も存在している。そのためにプロペラファン３の径方向外側の風路室空間により送風機２の空力性能は大きく左右される。
回転するプロペラファン３から見た場合に、径方向外側の風路室７の空間が急激に変化するとプロペラファン３の周りの流れが不安定となる。その結果、プロペラファン３の面上の圧力変動が大きくなり騒音が増加する。ベルマウス４の面上でも圧力変動が大きくなり騒音が増加する。
【００１５】
回転するプロペラファン３の翼は、回転軸中心を通る水平位置において横板１０に最も近づき、この時にプロペラファン３の径方向外側の風路室空間が横板１０側で最も狭くなる。その後、図２のＡ部に近づくに伴い径方向外側の風路室空間が徐々に広くなり、Ａ部付近においてプロペラファン３と横板１０との距離が急激に増加し、ファン外周の径方向外側の風路室空間が急激に広くなる。
本実施の形態１では、図２のＡ部においてプロペラファン３とベルマウス４との重なり高さＨｂを相対的に大きくしているので、風路室空間が急激に変化することに起因するプロペラファンを流れる気流の変動が、急激に変化する風路室空間にベルマウス吸い込み側の拡大角度が小さいベルマウス４が存在することによって風路室空間の急激な変化が少なくなり、気流の変動が抑えられ、空力騒音を低くできる。
Ａ部からＢ部にかけては上記の通り、ベルマウス４の断面は徐々に変化してプロペラファン３とベルマウス４との重なり高さＨｂを徐々に変化させているので、外周縁の外側の風路形状変化をなだらかにでき、ファン外周付近の流れの変動が抑制できて、空力騒音増加を抑制することができる。
【００１６】
図１に示したＢ部ではベルマウス断面において、拡がり角度θ１を相対的に大きくしファン外周縁の外側の空間を広くしている。所要の流量をプロペラファン３に吸込む面積を広く取ることにより、流速を低くして、吸込み部における空力騒音を抑制できる。
また、ベルマウス４の表面とプロペラファン３との距離が広くでているので、翼端渦などのファン外周縁付近の流れの変動によるベルマウス表面の圧力変動が低くなり、発生する騒音を小さくできる。
【００１７】
回転するプロペラファン３の翼が図２に示したＢ部を超えてＣ部に向かうときにも、ベルマウス４の断面は徐々に変化するので、外周縁の外側の風路形状変化をなだらかにでき、ファン外周付近の流れの変動が抑制できて、空力騒音増加を抑制することができる。
図２に示したＣ部付近では、プロペラファン３と機械室板１１との距離が急激に減少し、ファン外周の径方向外側の風路室空間が急激に狭くなる。本実施の形態１では、Ｃ部においてＡ部と同様にプロペラファン３とベルマウス４との重なり高さＨｂを相対的に大きくしているので、風路室空間が急激に変化することに起因するプロペラファンを流れる気流の変動が抑えられ、空力騒音を低くできる。
【００１８】
また、図２のＡ部、Ｂ部ではプロペラファン３とベルマウス４との重なり高さＨｂは、ファン外周の高さＨｆの半分よりも大きいことが望ましい。
それは、ファン外周高さの半分ほどの位置は、翼端渦が翼面から離脱する位置であり、ファン外周付近の流れの変動が大きい。この部分をベルマウス４で覆うことにより翼端渦が安定し、翼端渦に起因する流れの変動を抑えられ、プロペラファン３の空力騒音を小さくすることができる。
【００１９】
以上までは回転軸を含む水平面の上側についてのみ述べたが、下側についても同様である。図７に示すＤ部、Ｅ部、Ｆ部は、Ａ部、Ｂ部、Ｃ部に対応しベルマウス断面をＡ部からＣ部にかけての形状と同様にすることにより、Ａ部からＣ部にかけて説明した同様の流れを実現でき、空力騒音を小さくすることができる。
ベルマウス断面の工夫は、上側のみ、下側のみでも騒音低減の効果は得られる。上下側とも実施した場合はより大きな低騒音効果が得られる。
【００２０】
ベルマウス４の断面形状に係る説明を追加する。
ベルマウス４の内径最小部から直ぐの吸込み側の曲率半径Ｒ１を全周同じとすることにより、図８の記号Ｓで示すベルマウス表面に沿う流れのベクトルを全周で均一化される。それによって、プロペラファン３の外周縁３ｂの後縁３ｃ付近の流れの変動が小さくでき、空力騒音を小さくすることができる。
また、曲率半径Ｒ１から上流をより大きい曲率半径Ｒ２とすることで、図９に破線１６で示すように従来一般的なベルマウスの内径最小部から同一曲率半径でベルマウス断面を構成する場合に比べて、ファン外周縁とベルマウス表面の距離を広くとることができる。それによって、プロペラファン３に吸込む面積を広く取れるので、流速を低くして、吸込み部における空力騒音を抑制できる。
さらに、ベルマウス４の表面とプロペラファン３との距離が広くでているので、翼端渦などのファン外周縁付近の流れの変動によるベルマウス表面の圧力変動が低くなり、発生する騒音を小さくできる。
【００２１】
プロペラファン３の翼形状に係る説明を追加する。
プロペラファン３はボス側よりも外周縁３ｂ側の弦長が長く、前進翼形状としていることにより、前縁３ａの外周縁３ｂ側が回転方向に突出した形状となる。突出部分の外周縁３ｂ、前縁３ａ部分から発生する縦渦が強くなり、外周縁３ｂ側の縦渦を基として大きな翼端渦が負圧面側の外周縁に沿って生成される。
翼端渦は外周方向からプロペラファン３への吸引力を高め、騒音低減作用を有する。その反面、変動が大きな流れである渦のベルマウス４やプロペラファン３の翼への干渉による騒音増加を伴う。
回転するプロペラファン３の翼から見た径方向外側の風路空間変動は、渦を不安定なものにして流れを乱してしまうが、上記説明した本実施の形態１のベルマウス形状との組合せにより、ファン外周の吸込み空間の変化がなだらかにできるので、翼端渦の安定性を高め、低騒音が可能となる。
【００２２】
プロペラファン３の翼は負圧面が反回転方向に凸の反りを有する。適度な反りは翼を通過する流れを転向させて、翼から見た気体の相対速度を減少させて昇圧作用を高める。
その結果、ファン回転数が低減し低騒音化の効果を有する。また、外周縁付近では反りが最大となる翼高さの半分程で翼端渦が翼面から離脱し易い。
回転するプロペラファン３から見た場合に、径方向外側の風路室空間が急に広がるＡ部、Ｃ部、Ｄ部、Ｆ部で、ベルマウス４とプロペラファン３の回転軸方向の重なり高さＨｂを高くしているので、翼端渦の変動を抑えて低騒音化することができる。特に、重なり高さＨｂをファン外周の高さの半分よりも高くすることによりその効果が高くなる。
【００２３】
以上のように、本実施の形態１によれば、低騒音の送風機を得ることができる。また、その送風機２を搭載した空気調和機の室外機１としての低騒音のヒートポンプ装置を得ることができる。
騒音を従来と同じとすれば、風量の多い送風機を得ることができる。つまり、熱交換処理能力の高く、省エネルギー特性に優れたヒートポンプ装置を得ることができる。
【００２４】
実施の形態２．
図１０は本発明の実施の形態２の空気調和機の室外機を示す水平断面図、図１１は同空気調和機の室外機を示す正面図で、保護グリルを省略している。
上記実施の形態１ではプロペラファン３の正面から見て、機械室１３と反対側が横板１０になっているのに対して、この実施の形態２は、機械室１３と反対側が熱交換器１２となっており、吹出し板５と対向する面は実施の形態１と同様に熱交換器１２で覆われている。
プロペラファン３の近傍は負圧の程度が強く、プロペラファン３に近い径方向外側に気体を通過させる抵抗体である熱交換器１２が存在する場合は、プロペラファン３との距離により、プロペラファン３へ流入する気体の速度が変化する。そのため、その部分を通過するときにプロペラファン３の翼周りの気流に変動を増長させる。
しかし、本実施の形態２では、Ａ部やＦ部において実施の形態１と同様に、プロペラファン３とベルマウス４との重なり高さを相対的に大きくしているので、風路室空間が急激に変化することに起因するプロペラファンを流れる気流の変動が抑えられ、空力騒音を低くできる。
その他、実施の形態１に説明した作用、効果は実施の形態２でも同様である。
以上のように、本実施の形態２によれば、低騒音の送風機を得ることができる。またその送風機を搭載した空気調和機の室外機１としての低騒音のヒートポンプ装置を得ることができる。騒音を従来と同じとすれば、風量の多い送風機を得ることができる。つまり、熱交換処理能力の高く、省エネルギー特性に優れたヒートポンプ装置を得ることができる。
【００２５】
図１２は、実施の形態２における空気調和機室外機の低騒音効果を試験的に確認した結果である。外径４９０mmのプロペラファンを用いて、ベルマウス内径最小部の直ぐ吸込み側に曲率半径Ｒ１＝３０mmの１/４円弧の拡大部を全周とした一般的な仕様（一点鎖線）、Ｒ１から吸込み側に拡大部を繋げ全周の拡大角度を４５度とした仕様（破線）、本実施の形態に係り、Ａ部、Ｃ部、Ｄ部、Ｆ部の拡大角度を４５度、Ｂ部、Ｅ部の拡大角度を７０度とした仕様（実線）を比較した。
図１２のグラフを見ると、吸込み側の全周を同一曲率半径の１/４円弧とした仕様に比べ、その上流に拡大角度を４５度で吸込み側に繋げた仕様は低騒音化を実現できている。本実施の形態２に係る拡大角度を４５度から７０度で変化させた仕様は更に低騒音化が実現できていることが分かる。
【００２６】
実施の形態３．
図１３は実施の形態３に係るヒートポンプ式給湯機の室外機の水平断面図、図１４は同ヒートポンプ式給湯機の室外機の正面図で、保護グリルを省略している。
この実施の形態３は、実施の形態２と同様に、機械室１３と反対側が熱交換器１２となっており、吹出し板５と対向する面は熱交換器１２で覆われており、さらに室外機１内の下部に冷媒と水との間で熱交換器を行う水熱交換器１７が設置されているものである。
水熱交換器１７は室外機１内の下部を占めており、プロペラファン３から見れば風路室上面１７ａが風路室７を構成する板の一面となる。
つまり、風路室７の断面は熱交換器１２、機械室板１１の長さが上板８及び水熱交換器上面１７ａの長さよりも短い、正面から見て横長となっている。Ａ'部、Ｃ'部、Ｄ'部、Ｆ'部が図５に対応し、Ｂ'部、Ｅ'部が図６に対応している。
【００２７】
本実施の形態３も実施の形態１に説明した作用、効果が得られる。本実施の形態３によれば低騒音の送風機を得ることができる。またその送風機を搭載したヒートポンプ式給湯機の室外機としての低騒音のヒートポンプ装置を得ることができる。
騒音を従来と同じとすれば、風量の多い送風機を得ることができる。つまり、熱交換処理能力の高く、省エネルギー特性に優れたヒートポンプ装置を得ることができる。
上記実施の形態１〜３は、いずれもプロペラファン３の径方向外側の近傍に上板８、下板９、横板１０及び機械室板１１がある場合の例を示しているが、例えば横板８だけがプロペラファン３の径方向外側の近傍にあり、それ以外の板はプロペラファン３の径方向外側の遠く離れた処にある場合についても本発明が適用されることはいうまでもない。
【産業上の利用可能性】
【００２８】
本発明の送風機の適用例として、空気調和機の室外機やヒートポンプ式給湯機の室外機を例に挙げて説明したが、その他、送風機が設置される例えば換気扇等の各種の装置や設備などに広く利用することができる。
【図面の簡単な説明】
【００２９】
【図１】本発明の実施の形態１の空気調和機の室外機を示す水平断面図。
【図２】同空気調和機の室外機を示す正面図。
【図３】同空気調和機の室外機に搭載するプロペラファンの正面図。
【図４】同空気調和機の室外機に搭載するプロペラファンの円筒断面展開図。
【図５】図２のＡ部におけるベルマウスの形状を示す断面図。
【図６】図２のＢ部におけるベルマウスの形状を示す断面図。
【図７】同空気調和機の室外機を示すもう１つの正面図。
【図８】同空気調和機の室外機のベルマウスの特徴を説明する補足断面図。
【図９】同空気調和機の室外機のベルマウスの別の特徴を説明する補足断面図。
【図１０】本発明の実施の形態２の空気調和機の室外機を示す水平断面図。
【図１１】同空気調和機の室外機を示す正面図。
【図１２】同空気調和機の室外機の空力特性を従来と比較して示すグラフ。
【図１３】本発明の実施の形態３のヒートポンプ式給湯機の室外機の水平断面図。
【図１４】同ヒートポンプ式給湯機の室外機の正面図。
【符号の説明】
【００３０】
１  空気調和機の室外機、２  送風機、３  プロペラファン、３ａ  前縁、３ｂ  外周縁、３ｃ  後縁、４  ベルマウス、５  吹出し板、６  モータ（プロペラファン駆動装置）、７  風路室、８  上板、９  下板、１０  横板、１１  機械室板、１２  熱交換器、１３  機械室、１４  圧縮機、１５  保護グリル、１６  破線。
【図１】
2010112204.tif 000003
【図２】
2010112204.tif 000004
【図３】
2010112204.tif 000005
【図４】
2010112204.tif 000006
【図５】
2010112204.tif 000007
【図６】
2010112204.tif 000008
【図７】
2010112204.tif 000009
【図８】
2010112204.tif 000010
【図９】
2010112204.tif 000011
【図１０】
2010112204.tif 000012
【図１１】
2010112204.tif 000013
【図１２】
2010112204.tif 000014
【図１３】
2010112204.tif 000015
【図１４】
2010112204.tif 000016